【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
不規則な形状を有するアイテムの全体未満のいずれかの選択セグメントの体積に応じた数値を表示する装置であって、
前記アイテムを支持するための支持面と、
センサ・バーと、
前記アイテム上方に間隔をおいて配置されかつその幅方向に延出する前記支持面上方の前記センサ・バーを、前記センサ・バーが前記アイテム上方を通過し、前記アイテムに沿った他のいずれかの位置から前記アイテムのいずれかの選択部分上方に位置するように前記センサ・バーを位置決めし、それにより前記アイテムの全体未満のセグメントを視覚的に規定するための支持体と、
前記センサ・バーが前記アイテムのいずれかの選択部分上方に位置すると同時に、前記アイテムに沿ったいずれかの基準位置からの前記センサ・バーの変位に応じた信号を発生する変位検出装置と、
前記センサ・バーが移動され、前記アイテムの前記選択部分上方に位置すると前記センサ・バーの下を通過する前記アイテムの連続部分の断面輪郭に応じた信号を発生するセンサ装置と、
前記センサ・バーが前記アイテム上方を前記基準位置から前記アイテムの中間長さの前記選択部分上方の位置に移動する場合に、前記変位検出装置及び前記センサ装置によって発生された前記信号に応答し、その信号から前記センサ・バーの移動によって規定される前記アイテムの全体未満のある選択セグメントの体積を計算する信号処理装置と、
前記センサ・バーが前記アイテムの前記選択部分上方に位置した状態で、前記信号処理装置が計算した通りに前記アイテムの前記選択セグメントの前記体積に応じた数値を表示する表示器とを具備する装置。
【請求項２】
請求項１に記載の装置において、前記センサ・バーの前記支持体が、個々の端部で前記センサ・バーから下方へ延びる１対の支柱を含み、各支柱が下端部を有し、前記下端部は前記支持面と接し、それにより前記面上の所定の高さに前記センサ・バーの前記支持体を提供し、前記センサ・バーに前記支持面上の前記アイテム上方を往復運動（ｓｔｒｏｋｅ）させるようにすることを特徴とする装置。
【請求項３】
請求項１に記載の装置において、前記支持面は制御可能動力搬送機上に位置する前記アイテムを前記センサ・バーを超えて搬送する制御可能動力搬送機を具備し、それにより前記制御可能動力搬送機による前記アイテムの移動によって前記センサ・バーが前記アイテム上方を通過することを特徴とする装置。
【請求項４】
請求項２に記載の装置において、各前記支柱が、その支柱の下端部の変位に応じた信号を発生する対応する個々の変位検出装置を有し、これらの個々の変位検出装置が一緒になって前記変位検出装置を具備することを特徴とする装置。
【請求項５】
請求項４に記載の装置において、前記各変位検出装置が、光ビームを前記支持面に向ける発光器と前記支持面からの光反射を受ける受光器を含む光学追跡集成部（ａｓｓｅｍｂｌｙ）と、前記受光器が受光した連続する画像を分析し、前記個々の支柱の変位範囲及び変位方向を決定する画像分析器とを具備することを特徴とする装置。
【請求項６】
請求項４に記載の装置において、前記各変位検出装置が、前記支持面に係合し、前記対応する支柱の移動により回転される前記対応する支柱の下端部に設置されたボールと、このボールと係合し、ボールのいずれかの軸に沿った回転運動により回転するＸ−Ｙ軸ローラと、各ローラの回転を検知し、それによって、各支柱の変位範囲及び変位方向に応じた信号を発生する光学エンコーダ装置を含むことを特徴とする装置。
【請求項７】
請求項２に記載の装置において、前記変位検出装置が、各支柱に対応する電磁コイルと、前記支持面内にあり、各支柱の前記支持面を横断する範囲及び移動方向に応じた電気信号を発生するグリッドとを具備することを特徴とする装置。
【請求項８】
請求項４に記載の装置において、前記変位検出装置が、感圧カバーを有する前記支持面を具備し、前記対応支柱が感圧面上に変位されると、各支柱下端部が前記感圧面に圧力を発生させるように向けられ、対応信号を生成することを特徴とする装置。
【請求項９】
請求項８に記載の装置において、前記信号が前記各支柱の下端部の変位範囲及び変位方向に対応することを特徴とする装置。
【請求項１０】
請求項１に記載の装置において、前記センサ・バー用の前記各支持体が前記センサ・バーの個々の端部に接続された上端部と、前記センサ・バーの前記支持面を横断する移動のガイド用の前記支持面に対して支持される下端部を有する１対の垂直部を具備し、それにより前記センサ・バーの前記支持面上方の移動を固定軸に沿いかつ固定方向への移動に制限することを特徴とする装置。
【請求項１１】
請求項１に記載の装置において、前記センサ・バー支持体が前記センサ・バーが前記支持面上をいずれの方向にも自由、かつ制限無く手動での移動を可能にすることを特徴とする装置。
【請求項１２】
請求項１１に記載の装置において、前記センサ・バー支持体は前記センサ・バーが手動で自由に持ち上げられ前記支持面から離散されることを可能にすることを特徴とする装置。
【請求項１３】
請求項１に記載の装置において、前記センサ装置が前記センサ・バーに移動可能に設置された１つのセンサと、このセンサに前記アイテムを走査させ前記センサ・バーの下を前記センサ・バーに沿って延出する前記アイテムの一部の断面輪郭に応じた信号を発生させるセンサ駆動機構とを具備する装置。
【請求項１４】
請求項１に記載の装置において、カッター装置と、このカッター装置を前記センサ・バー沿いに選択的に駆動させて前記センサ・バー沿いに延出する方向に前記アイテムを切断するモータとを更に含む装置。
【請求項１５】
請求項２に記載の装置において、前記変位検出装置が、前記２つの支柱のそれぞれに対応する個々の変位検出装置を具備することを特徴とする装置。
【請求項１６】
請求項１５に記載の装置において、前記変位検出装置が、各支柱の前記支持面上の変位範囲及び変位方向に応じた信号を発生することを特徴とする装置。
【請求項１７】
請求項１０に記載の装置において、前記変位検出装置が、前記支持面に沿って延出する細長い光学グリッドと、前記垂直部の１つに対しかつこの細長いグリッド上方に設置された、前記１つの垂直部が変位した際に２方向にシフトする読み取り可能なモアレ縞パターンを形成する傾斜したリーダーグリッドとを含むことを特徴とする装置。
【請求項１８】
請求項１に記載の装置において、前記変位検出装置が、前記センサ・バー沿いに配置された、離間し縦方向に延出可能で、それぞれ下方へバイアスされて前記支持面方向へ付勢され、その先端部が前記アイテムの上面または前記プランジャの下に位置する前記支持面と接する一連のプランジャと、対応するプランジャが延出する距離に応じた信号を発生する各プランジャ用センサとを具備し、前記信号処理装置はこれらの信号を受信し、この信号から個々のプランジャの下に位置する前記アイテムの前記支持面上のある点での前記支持面上の高さを決定し、それにより前記一連のプランジャに沿った方向に延出する前記アイテムの各連続部分の断面輪郭を決定することを特徴とする装置。
【請求項１９】
請求項１８に記載の装置において、下方向の付勢を解消し、また前記対応するプランジャを後退させて前記支持面と前記アイテムとの接触を外すように選択的に動作可能な各プランジャに対応する個々のソレノイドを更に含む装置。
【請求項２０】
請求項１９に記載の装置において、各プランジャ上方に位置する磁石であって、前記対応するソレノイドが磁石力を解消するために動作されるまで後退したプランジャをその位置で保持する磁石を更に含む装置。
【請求項２１】
請求項１９に記載の装置において、前記一連のプランジャに沿った方向に延出する前記センサ・バーに取り付けられたナイフ刃であって、前記プランジャが後退された際に露出される切断刃を有するナイフ刃を更に含むことを特徴とする装置。
【請求項２２】
請求項１８に記載の装置において、少なくとも２つの延出可能で後退可能なマーキングプランジャが前記センサ・バー上に設置され、各マーキングプランジャは、前記プランジャが延出され前記センサ・バーの移動により前記アイテムのスコアリングが可能となった場合に前記アイテムに係合する鋭利な先端部を有することを特徴とする装置。
【請求項２３】
請求項１８に記載の装置において、少なくとも２つのマーキングプランジャを含み、それぞれが選択的に動作可能なマーカー装置を有し、前記センサ・バーの下に位置する前記アイテムの前記上面をマーキングして前記アイテムの幅方向に印を付けられたマーキングに沿って前記アイテムを切断可能にすることを特徴とする装置。
【請求項２４】
請求項１に記載の装置において、前記センサ・バー上にマーキング装置を更に含み、このマーキング装置は選択的に動作可能であり、前記センサ・バーの下方及びそれに沿った線沿いに前記アイテムの前記上面をマーキングして、前記アイテム上の切断ガイドマークを提供することを特徴とする装置。
【請求項２５】
請求項１に記載の装置において、前記センサ装置が、前記センサ・バー沿いに位置する前記アイテム上の点で貫通ビームを放射し、前記アイテムの前記断面輪郭を決定する少なくとも１つのセンサを具備することを特徴とする装置。
【請求項２６】
請求項２に記載の装置において、前記支柱が選択的に後退可能であり、前記センサ・バー沿いに延出するように取り付けられたナイフ刃を更に含み、このナイフ刃は前記支柱が後退された際に露出される切断刃を有することを特徴とする装置。
【請求項２７】
請求項２６に記載の装置において、前記ナイフ刃の交換を容易にするために、前記センサ・バーから直ちに脱着可能であることを特徴とする装置。
【請求項２８】
請求項１に記載の装置において、前記センサ・バー上に設置され、前記センサ・バーを横断移動し、前記アイテムと選択的に係合可能で、前記センサ・バー下方でそれに沿って延出する方向にセグメントを前記アイテムから切断する切断装置を更に含む装置。
【請求項２９】
請求項１に記載の装置において、前記センサ装置が、前記センサ・バーが前記アイテムに沿って通過する際に到達された前記センサ・バーの各位置で前記アイテムを幅方向に走査可能な１つのセンサを含むことを特徴とする装置。
【請求項３０】
請求項１に記載の装置において、前記センサ装置が、前記センサ・バー下方でそれに沿って延出する点で前記アイテムの上面に入射するようにビームを投射し、前記アイテムの上面に幅方向の前記ビームの入射を検知する光学発信器・受信器であり、前記入射ビームから前記光学発信器・受信器の前記発信器から前記上面上の前記点までの距離に応じた信号を発生する光学発信器・受信器を含む少なくとも１つのセンサと、前記支持面上方の前記上面点の高さをこれらの信号の分析から決定し、これらの点を通って延出する前記アイテムの一部の断面輪郭も決定する信号処理装置とを含むことを特徴とする装置。
【請求項３１】
請求項１に記載の装置において、前記センサ装置が、音波を出射する音響発信器と、前記センサ・バー下方でそれに沿って配置される前記アイテムの上面上を幅方向に延出する一連の点からのこの音波の反射を検出し、前記音響発信器から前記アイテムの上面上の前記各点までの距離に応じた距離信号をそこから発生する音響受信器を有する１つ以上の音響センサと、前記支持面上方の前記上面の高さを前記距離信号から計算し、前記アイテムの上の前記点での前記アイテムの一部の断面輪郭を計算する信号処理装置と含むことを特徴とする装置。
【請求項３２】
請求項３１に記載の装置において、周囲温度を検出し、この周囲温度に応じた信号を生成する温度センサを更に含み、前記信号処理装置が前記温度センサ信号を受信し、温度変化のすべての効果に対して前記点までの前記距離の計算を補償することを特徴とする装置。
【請求項３３】
請求項１８に記載の装置において、各前記プランジャが、各前記プランジャの一方側に隣接する光学発信器・受信器アレイであって、各発信器が対応するプランジャの前記一方側に向かってビームを発射し、各受信器が対応するプランジャの前記一方側からの反射ビームを受光するように配置された光学発信器・受信器アレイと、前記対応するプランジャが延出する距離を前記発信器・受信器から受光した信号から決定し、それにより前記対応するプランジャが接触している前記アイテムの前記上面上の点の高さを決定できる信号処理装置とを含むことを特徴とする装置。
【請求項３４】
請求項１に記載の装置において、前記センサ装置が、前記センサ・バー沿いに設置されている一連のセンサを含むことを特徴とする装置。
【請求項３５】
請求項３４に記載の装置において、前記センサ装置が、２以上の隣接したセンサの列を含むことを特徴とする装置。
【請求項３６】
請求項１に記載の装置において、前記アイテムセグメントの総コストを決定するために、前記信号処理装置に伝送される特定種のアイテム用の密度と単位重量当りのコストの値を記憶したデータメモリを更に含み、前記表示器が、前記センサ・バーが前記アイテム上方をそれに沿って通過する際に、前記信号処理装置で決定され、前記センサ・バー各位置で規定される各セグメントの総コストを表示することを特徴とする装置。
【請求項３７】
請求項１に記載の装置において、各アイテムセグメントの総重量を決定するために前記信号処理装置が使用する特定のアイテム用の密度値を記憶したデータメモリを更に含み、前記表示器は、前記センサ・バーが前記アイテム上方をそれに沿って通過する際に、前記信号処理装置で決定され、前記センサ・バー各位置で規定される各セグメントの前記総重量を表示することを特徴とする装置。
【請求項３８】
請求項３６に記載の装置において、前記信号処理装置が使用する密度又は単位重量当りのコストの値を選択的に受信して記憶し、データを出力するためのデータ入力／出力ポートを更に含む装置。
【請求項３９】
請求項３６に記載の装置において、データ信号を受信および送信するためのデータ入力／出力ポートを更に含む装置。
【請求項４０】
請求項１に記載の装置において、前記センサ・バーに設置され、前記センサ・バー方向に沿ってセグメントを前記アイテムから切断するように選択的に動作可能な縦方向に移動可能な切断刃装置を更に含む装置。
【請求項４１】
請求項１に記載の装置において、前記センサ・バーに移動可能に設置され、セグメントを前記アイテムから切断可能な回転ブレードカッターを更に含む装置。
【請求項４２】
請求項１に記載の装置において、前記センサ・バー上に設置され、セグメントを前記アイテムから選択的に切断可能に制御出来るレーザビーム発生器を具備するカッター装置を更に含む装置。
【請求項４３】
請求項２４に記載の装置において、前記マーキング装置が前記アイテムの上面上にマークを印字可能なインクジェットプリンタ装置を少なくとも２つ含むことを特徴とする装置。
【請求項４４】
請求項４３に記載の装置において、前記インクジェットプリンタ装置が複数のインク色のいずれか１色で前記アイテムをマーキング可能であることを特徴とする装置。
【請求項４５】
請求項４４に記載の装置において、前記センサ・バー上に、前記アイテムの色を検出する色センサを更に含み、前記インクジェットプリンタ装置が前記複数のインク色のいずれか１色を自動的に選択し、前記アイテムの前記検出された色と対照をなすインク色で前記アイテムをマーキングすることを特徴とする装置。
【請求項４６】
請求項２４に記載の装置において、前記マーキング装置が前記センサ・バーに沿って設置された複数のマーカー装置を含み、各マーカー装置は後退可能なプランジャに設置された熱マーカーを具備し、前記センサ・バー下の前記アイテム上面上にマークを焼き付けるように選択的に動作可能であることを特徴とする装置。
【請求項４７】
請求項２４に記載の装置において、前記マーキング装置が前記センサ・バーにより支持されたレーザスコアリングマーカーを含むことを特徴とする装置。
【請求項４８】
請求項２４に記載の装置において、前記マーキング装置が前記アイテムのスコアリングのために後退可能なプランジャに設置された鋭利器具を含むことを特徴とする装置。
【請求項４９】
請求項１８に記載の装置において、前記プランジャの内少なくとも２つのプランジャのそれぞれが、そこに設置され、前記アイテムの上面上にマーキングをするために選択的に動作可能なマーカー装置を有することを特徴とする装置。
【請求項５０】
請求項４９に記載の装置において、各マーカー装置が前記対応するプランジャの鋭利な先端部を具備し、複数の延出位置のいずれかに前記対応するプランジャを固定して、前記プランジャの鋭利な先端部により圧力が前記アイテム上に及ぶようにするためのロック機構を更に含むことを特徴とする装置。
【請求項５１】
請求項１に記載の装置において、前記センサ・バーに延出可能に設置され、前記アイテムの上面上にマーキングをするように選択的に動作可能なマーカープランジャ上に設置されたマーカー装置を更に含む装置。
【請求項５２】
請求項１に記載の装置において、前記センサ・バーに沿って設置され、前記アイテム上面上にマーキングをするように選択的に動作可能な少なくとも２つのマーカー装置を更に含み、これらのマーカー装置は一緒になって前記アイテムを切断する際の支援として，少なくとも２つのマーキングを提供することを特徴とする装置。
【請求項５３】
請求項５１に記載の装置において、前記マーカー装置が前記センサ・バー内に後退可能なプランジャに設置されたインクジェットプリンタ装置を具備することを特徴とする装置。
【請求項５４】
請求項２４に記載の装置において、前記マーキング装置は、この前記マーキング装置に設置され、前記マーキング装置と前記アイテムとの接触を防止し、これによって、このアイテムからのデブリの堆積を避けるスペーサーつば（ｃｏｌｌａｒ）を含むことを特徴とする装置。
【請求項５５】
請求項５１に記載の装置において、前記マーカー装置が未使用時にそれを後退させてその退避状態を維持する時には前記マーカープランジャは選択的に固定されることを特徴とする装置。
【請求項５６】
請求項５３に記載の装置において、前記インクジェットプリンタ装置が圧電インクジェットプリンタ装置を具備することを特徴とする装置。
【請求項５７】
請求項５３に記載の装置において、前記インクジェットプリンタ装置が熱バブルインクジェットプリンタ装置を具備することを特徴とする装置。
【請求項５８】
請求項５２に記載の装置において、各マーカー装置が前記センサ・バー上に延出可能及び後退可能に設置されることを特徴とする装置。
【請求項５９】
請求項５１に記載の装置において、前記マーカー装置と対応し、前記アイテムと接触する延出位置とそのアイテムの完全に後退した位置とを検出するセンサを更に含む装置。
【請求項６０】
請求項５８に記載の装置において、前記マーキング装置がその各位置から後退又は延出することを防止する選択的に動作可能なロック装置を更に含む装置。
【請求項６１】
請求項２に記載の装置において、前記第１の１対の支柱から横方向に離れており前記センサ・バーから下方へ延出して前記支持面と接触する第２の１対の支柱を更に含み、これにより前記センサ・バー用の四角を有する安定支持体を提供することを特徴とする装置。
【請求項６２】
請求項１に記載の装置において、前記センサ・バーの動作を選択的に制御する前記信号処理装置に接続された触覚コントロール部を有するコントローラ信号処理装置ケースを更に含む装置。
【請求項６３】
請求項６２に記載の装置において、前記コントローラ信号処理装置ケースがアイテムセグメントコストの数値を決定する際に前記信号処理装置が使用するアイテム特性に対し数値を入力するためのキーボードを含むことを特徴とする装置。
【請求項６４】
請求項６３に記載の装置において、アイテム密度値は前記キーボードにより前記信号処理装置のデータメモリに選択的に入力されても良いことを特徴とする装置。
【請求項６５】
請求項６３に記載の装置において、単位重量当りのアイテムコスト値が前記キーボードにより前記信号処理装置のデータメモリに選択的に入力されることを特徴とする装置。
【請求項６６】
請求項６２に記載の装置において、前記コントローラ信号処理装置ケースが前記センサ・バーとコントローラ信号処理装置間で信号を送信する無線リンクを含むことを特徴とする装置。
【請求項６７】
請求項６６に記載の装置において、前記無線リンクが無線周波数送受信器を含むことを特徴とする装置。
【請求項６８】
請求項６６に記載の装置において、前記無線リンクが赤外線通信装置を含むことを特徴とする装置。
【請求項６９】
請求項６６に記載の装置において、前記コントローラ信号処理装置と売り場表示器、領収書プリンタ、または金銭登録機の内少なくとも１つを含む外部装置間で無線リンクを介して信号を送信するための手段を更に含む装置。
【請求項７０】
請求項３４に記載の装置において、前記各センサが前記アイテムにおいて波ビームを出射する発信器と前記ビームの反射に応答する対応受信器とを含むことを特徴とする装置。
【請求項７１】
請求項３４に記載の装置において、前記各センサが前記アイテムにおいて波ビームを出射する発信器を含み、前記装置が前記発信器からの前記波の反射を検出するように配置された２次元アレイの受信器を更に含むことを特徴とする装置。
【請求項７２】
請求項７１に記載の装置において、最強度信号を有する前記２次元アレイの受信器が、前記アイテム上の点の高さを決定するために、前記信号処理装置に使用されることを特徴とする装置。
【請求項７３】
請求項７０に記載の装置において、前記センサ発信器の少なくともいくつかが異なる時点で動作され、他のセンサの発信器からの反射ビームの入射に対する各センサ受信器の応答を最小にすることを特徴とする装置。
【請求項７４】
請求項７３に記載の装置において、各種発信器の動作間に同時に２つ以上の発信器の動作の結果発生するビームの反射に対する応答を防止するのに十分な時間間隔が設けられていることを特徴とする装置。
【請求項７５】
請求項７１に記載の装置において、前記受信器が発生する信号が処理されて、前記アイテムの上面上の点の高さを計算する際に前記信号処理装置が使用する信号を出力する発信器からのビームの反射波の入射に対し一番一致している受信器を決定することを特徴とする装置。
【請求項７６】
請求項３４に記載の装置において、少なくとも２列のセンサが前記センサ・バーの下面に沿って設置されていることを特徴とする装置。
【請求項７７】
請求項７１に記載の装置において、前記２次元アレイの受信器が前記センサ・バー上に設置された透明片に設置されていることを特徴とする装置。
【請求項７８】
請求項１に記載の装置において、手動把持可能なハンドルが前記センサ・バーの一端に固定されていることを特徴とする装置。
【請求項７９】
請求項６２に記載の装置において、前記コントロール信号処理装置ケースがそれに設置される表示画面であることを特徴とする装置。
【請求項８０】
請求項２に記載の装置において、所定角度だけ非垂直となる前記センサ・バーと支柱の傾斜を含む許容できない動作を示す警報器を更に含む装置。
【請求項８１】
請求項２に記載の装置において、前記センサ・バーに対し固定され、前記取り付けられた支柱とセンサ・バーの傾斜条件を示すレベル指示器を更に含む装置。
【請求項８２】
請求項１に記載の装置において、前記センサ・バーに設置された切断装置と、前記センサ・バーに沿ってこの切断装置を駆動する動力駆動装置とを更に含む装置。
【請求項８３】
請求項７０に記載の装置において、各受信器は対応する発信器からオフセットしており、それ自体が監視している前記アイテム上に入射する前記ビームの画像を横方向に示す前記感位置検出器を含み、それによりこの発信器から前記出射ビームが向かう前記アイテムの上面上の入射点までの距離を三角法で決定することを可能とすることを特徴とする装置。
【請求項８４】
請求項３０に記載の装置において、各センサの前記受信器は対応する発信器からオフセットしており、それ自体が監視している前記ビーム入射の画像の位置を決定する感位置検出器を含み、それにより前記出射ビームが投射される前記アイテムの上面上の各発信器からの入射点までの距離を決定することを可能とすることを特徴とする装置。
【請求項８５】
請求項１に記載の装置において、前記センサ・バーが前記アイテム上をそれに沿って通過する際に前記表示器が前記信号処理装置により実質的に連続して更新されることを特徴とする装置。
【請求項８６】
請求項３４に記載の装置において、前記センサのそれぞれは同時に信号を発生することを特徴とする装置。
【請求項８７】
不規則な形状のアイテムの全体未満のいずれかの選択セグメントの体積に応じた数値を表示する方法であって、
支持面上に前記アイテムを置くことと、
センサ・バーを前記アイテムをクリアするのに十分な事前に設定された前記支持面上の高さに支持することと、
前記センサ・バーと前記支持面を相対的に移動させて、前記センサ・バーが前記アイテムのいずれの部分上方の基準位置から前記アイテム上方をそれに沿って通過し前記アイテムの中間長さの前記アイテムの選択された他の部分上の位置に到達させ、それにより前記アイテムの全体未満の選択セグメントを含む前記基準位置と前記選択された他の部分間の前記アイテムの部分を視覚的に規定することと、
前記センサ・バーが前記選択された他の部分に移動された場合に、前記センサ・バーの下を通過する前記アイテムの連続部分の断面輪郭に応じたセンサ信号を発生することと、  前記センサ・バーが前記アイテム上方をそれに沿って通過する際にそのセンサ・バーの変位を検出し、対応する検出器信号を発生することと、
前記発生されたセンサ信号と検出器信号を処理し、それから前記アイテムの全体未満の前記選択セグメントの体積を計算することと、
前記選択セグメントの前記計算された体積に応じた数値を得ることと、
前記センサ・バーが前記アイテムの前記選択された他の部分上方に位置する際に、このようにして得られた前記数値を表示することを含む方法。
【請求項８８】
請求項８７に記載の方法において、前記アイテムの各連続部分の断面輪郭に応じたセンサ信号を発生することが、前記センサ・バーが前記アイテムの各部上を通過する際に、前記アイテムの各部に沿って存在する複数の点での前記支持面上方の前記アイテムの上面上の点の高さを検出することを含むことを特徴とする方法。
【請求項８９】
請求項８８に記載の方法において、前記アイテムの連続部分の断面輪郭に応じたセンサ信号を発生することが、前記センサ・バーが前記アイテム上方を通過する際に、前記センサ・バーにより搬送される一連の縦方向に移動可能なプランジャそれぞれの下面端に前記アイテムの上面を同時に係合させることと、前記センサ・バーの前記相対的な移動中に前記プランジャそれぞれの縦方向位置に応じた信号を発生することとを含むことを特徴とする方法。
【請求項９０】
請求項８８に記載の方法において、前記アイテムの各連続分の前記上面上に沿って存在する点の高さを検出することが、前記センサ・バーが、前記センサ・バー上の一連の発信器上を通過する際に、その発信器のそれぞれから前記アイテムにビームを向けることを含むことを特徴とする方法。
【請求項９１】
請求項９０に記載の方法において、ビームを一連の発信器のそれぞれから前記アイテムの連続部分に沿った前記アイテムに向けることが、入射ビームの反射を検出するように配置される前記センサ・バーに沿って一連の発信器を設置することを含むことを特徴とする方法。
【請求項９２】
請求項８８に記載の方法において、前記アイテムの連続部分の断面輪郭に応じた信号を発生することが、前記センサ・バーが前記アイテムの連続部分上を通過する際に、前記アイテムの連続部分それぞれで前記アイテムを幅方向にビームで走査することと、前記ビームの反射を検出し、前記センサ・バー各位置で前記アイテムの連続部分の断面輪郭を決定することを含むことを特徴とする方法。
【請求項９３】
請求項８７に記載の方法において、前記選択された他の部分上方の位置が前記センサ・バーにより到達後に、前記アイテムの上面をその一部分に沿って幅方向にマーキングし、前記アイテムをセグメントに切断する際のガイドとすることを更に含む方法。
【請求項９４】
請求項９３に記載の方法において、前記アイテムをマーキングすることが、前記センサ・バーに１以上のインクジェットプリンタ装置を設置することを含む方法。
【請求項９５】
請求項９３に記載の方法において、前記アイテムをマーキングすることが、前記センサ・バーに一連の加熱素子ブランディング装置を設置することを含むことを特徴とする方法。
【請求項９６】
請求項９３に記載の方法において、前記アイテムをマーキングすることが、前記センサ・バーに１以上のビームマーキング装置を設置することを含むことを特徴とする方法。
【請求項９７】
請求項９３に記載の方法において、前記アイテムをマーキングすることが、前記センサ・バーに一連の鋭利先端のマーキング装置を設置することを含むことを特徴とする方法。
【請求項９８】
請求項８８に記載の方法において、前記発生されたセンサ信号と検出器信号を処理することが、連続するセンターバーの位置で前記アイテム部それぞれの断面輪郭に応じた前記信号により固体を部分的に規定することと、前記規定された固体の体積を計算することとを含むことを特徴とする方法。
【請求項９９】
請求項８７に記載の方法において、前記数値を決定することが、前記表示された数値がアイテムセグメントの重量に対応するように、前記計算された体積を記憶された密度ファクターと乗算することを含むことを特徴とする方法。
【請求項１００】
請求項９９に記載の方法において、前記数値を決定することが、前記数値がアイテムセグメントの価格を含むように、前記重量を記憶された単位重量当りのコストファクターと乗算することを更に含むことを特徴とする方法。
【請求項１０１】
請求項８９に記載の方法において、前記センサ・バーにより搬送されるプランジャと前記アイテム上面とを係合させることが、前記上面の下に前記アイテムが不在の時には前記センサ・バーの下面に沿って離間する一連の縦方向に移動可能なプランジャを設置し、前記プランジャをバイアスしてそれを下方へ移動させて各プランジャの先端部と前記アイテムの連続部分の上面と係合させることとを含み、この方法が、前記プランジャ先端部が前記支持面又は前記アイテムの連続部分の前記上面と係合した状態で、前記センサ・バーが前記支持面に対し相対的に移動して前記アイテムの前記上面上を通過する間に各プランジャ先端部の位置に応じた信号を同時に発生する工程を更に含むことを特徴とする方法。
【請求項１０２】
請求項１０１に記載の方法において、ナイフを前記センサ・バーに設置し、前記プランジャの全てを選択的に後退させて前記ナイフの刃先を露出させて前記アイテムをそれで切断することを更に含む方法。
【請求項１０３】
請求項８７に記載の方法において、ナイフ刃を前記センサ・バーに設置し、前記アイテムをそれで切断可能とすることを更に含む方法。
【請求項１０４】
請求項８７に記載の方法において、前記センサ・バーを支持することが、支柱を下方へ突出して前記支持面と係合する前記センサ・バーの一方の端部に設置し、前記センサ・バーをその支持面上に支持することを含むことを特徴とする方法。
【請求項１０５】
請求項８７に記載の方法において、前記センサ・バーを支持することが、前記センサ・バーが前記テーブル上を連続する平行で整列した位置を移動する運動を制限するように、前記センサ・バーを前記支持面を規定するテーブル上に支持することを含むことを特徴とする方法。
【請求項１０６】
請求項８７に記載の方法において、前記センサ・バーを前記支持面支持することが、複数対の支柱を前記センサ・バーの２つの反対端部のそれぞれに設置し、前記センサ・バーを前記支持面上に安定的に支持することを含むことを特徴とする方法。
【請求項１０７】
請求項８７に記載の方法において、前記センサ・バーを支持することが、前記センサ・バーを前記支持面と平行な平面の全方向に自由に動かすことを特徴とする方法。
【請求項１０８】
請求項１０７に記載の方法において、前記センサ・バーを支持することが、前記センサ・バーを前記支持面から自由に持ち上げられ取り去ることを可能にすることを特徴とする方法。
【請求項１０９】
請求項８７に記載の方法において、前記センサ・バーを前記支持面に対し相対的に移動させることは、前記アイテムを前記センサ・バー下に位置し前記支持面を具備する搬送ベルト上に搬送することを含むことを特徴とする方法。
【請求項１１０】
アイテムのいずれかの選択されたセグメントの体積に応じた数値の表示を発生する方法であって、
支持面上に前記アイテムを置くことと、
前記アイテムの幅方向に延出する前記アイテム上方の細長いセンサ・バーを位置決めし、それにより前記アイテムに対する前記センサバーの基準位置を提供することと、
前記センサ・バーを前記支持面に対して相対的に移動させて、前記センサ・バーが前記基準位置のいずれかの側に位置する他の位置への移動を選択的に許容するいずれかの方向へ前記アイテムに沿って移動させ、それにより前記他の位置と前記基準位置との間に位置する前記アイテムの選択セグメントを視覚的に規定することと、
前記センサ・バーが前記アイテムと相対的に移動された場合に、前記センサ・バーを通過する前記アイテムの連続部分の断面輪郭に応じたセンサ信号を発生することと、
前記センサ・バーが前記基準位置から前記アイテム上方をそれに沿って通過し前記基準位置のいずれかの側の選択された他の位置に至る際にそのセンサ・バーの前記アイテムの両方向に関する変位を検出し、対応する検出器信号を発生することと、
前記発生されたセンサ信号と検出器信号を処理し、前記基準位置のいずれかの側に位置する選択セグメントの体積を選択的に決定できるように、前記基準位置から前記他の位置に至る前記センサ・バーのいずれかの方向への移動によって視覚的に規定された前記アイテムの選択セグメントの体積を得ることと、
前記アイテムに沿った前記他の位置に到達する前記センサ・バーによる前記センサ信号と検出器信号から得た前記選択セグメントの体積に応じた数値を表示し、前記基準位置の両側で選択的に規定可能な選択セグメントの体積に応じた数値の表示を発生させることとを含む方法。
【請求項１１１】
請求項１１０に記載の方法において、前記センサ・バーが前記アイテムに沿って移動する際に手動で移動されることを特徴とする方法。
【請求項１１２】
アイテムの全体未満のいずれかの選択セグメントの重量又は価格をこのアイテムを観察している者に表示する方法であって、
前記アイテム上方を幅方向に延出するセンサ装置を位置決めする工程と、
前記センサ装置が前記アイテムに関する選択された他の位置に到達する際にセンサ装置が通過する前記アイテムの各連続する部分の断面輪郭に応じた検出器信号を発生させている間に、前記センサ装置を前記アイテムに関する基準位置から前記アイテムに沿って通過させ、それにより前記アイテムの選択セグメントを視覚的に規定する工程と、
前記センサ装置が前記アイテムに関する前記基準位置から前記アイテムに関する選択された他の位置へ前記アイテムに沿って移動する際にその変位を検知し、対応する検出器信号を発生する工程と、
前記アイテムの前記選択セグメントの総体積を前記センサ信号と前記検出器信号より計算し、前記センサ装置が前記アイテムに関する前記選択された他の位置にあるときの前記計算された総体積に応じた数値を表示し、ある者が前記アイテムに沿った前記センサ装置の位置及び前記表示された価格或いは重量の数値を共に見ることができるようにする工程とを含む方法。
【請求項１１３】
請求項１１２に記載の方法において、数値を表示することが前記計算された前記アイテムの前記選択セグメントの体積から得たこの選択セグメントの価格を表示することを含むことを特徴とする方法。
【請求項１１４】
アイテムのいずれかの選択セグメントの体積に応じた数値を表示する装置であって、
前記アイテムを支持するための支持面と、
センサ装置と、
前記センサ装置を設置するためのセンサ装置支持体であって、前記アイテムに沿った前後方向への前記支持面に沿った相対的な移動を自由に行わせ、前記センサ装置が前記アイテムに沿った他のいずれかの部分から前記アイテムのいずれかの部分と一致するように選択的に配置され、それにより前記部分間の前記センサ装置支持面の前記移動が前記部分間に位置する前記アイテムの全体未満の選択セグメントを視覚的に規定するためのセンサ装置支持体と、
前記センサ装置支持体が前記アイテムのいずれかの選択部分に隣接した位置に配置される場合に、前記アイテムに沿ったいずれかの選択された基準位置からの前記センサ装置支持体の前後方向の変位に応じた信号を発生する変位検出装置と、
前記センサ装置が通過し、前記選択部分に到達すると前記アイテムの連続部分の断面輪郭に応じた信号を発生する前記センサ装置と、
前記変位検出装置及び前記センサ装置によって発生された前記信号を受け取り、前記センサ装置支持体が前記前後方向に移動する間にいずれかの基準位置と前記アイテムのいずれかの選択された部分間に規定される前記アイテムのいずれかの選択セグメントの体積をそれらの信号から計算する信号処理装置と、
前記センサ装置支持体が前記アイテムの前記いずれかの選択された部分に隣接した位置にある状態で、前記信号処理装置が計算した通りに前記アイテムのいずれかの選択セグメントの前記体積に応じた数値を表示する表示器とを含む装置。
【請求項１１５】
アイテムのいずれかの選択セグメントの体積に応じた数値を表示する装置であって、
前記アイテムを支持するための支持面と、
センサ装置と、
前記センサ装置用の支持体であって、アイテムに沿いその幅方向でいずれかの方向への前記支持面上の相対的な前後動作を自由に行わせ、前記センサ装置支持体を前記アイテムのいずれかの中間部分と一致するように手動で選択的に配置可能とし、それにより使用者に前記アイテム上方の前記センサ装置支持体の位置における前記アイテムの視覚的に規定されたセグメントを提供するための支持体と、
前記アイテムのいずれかの選択された他の中間部分と一致して位置するように前記アイテムの選択された開始部分と一致する前記センサ装置支持体の位置からの前記センサ装置支持体の変位に応じた信号を発生する変位検出装置と、
前記センサ装置が前記選択された他の部分と一致するように配置される際に、前記センサ装置が通過する前記アイテムの連続部分の断面輪郭に応じた信号を発生する前記センサ装置と、
前記変位検出装置及び前記センサ装置によって発生された前記信号を受け取り、前記アイテムの前記選択された開始部分と前記アイテムの前記選択された他の中間部分間に視覚的に規定される前記アイテムの全体未満のある選択セグメントの体積をこれらの信号から計算する信号処理装置と、
前記センサ装置支持体が前記アイテムの前記選択された他の部分に一致する位置にある状態で、前記信号処理装置が計算した通りに、前記アイテムの選択セグメントの前記体積に応じた数値を表示する表示器とを含む装置。
【請求項１１６】
販売されるアイテムのいずれかの選択セグメントの価格に応じた数値を表示する装置であって、
前記アイテムを支持するための支持面と、
センサ装置と、
前記センサ装置を設置するためのセンサ装置支持体であって、前記アイテムに沿って反対方向へ前記支持面の幅方向に自由に移動可能であり、前記アイテムに関する初期基準位置からの移動により、前記センサ装置が前記アイテムに沿ったいずれかの選択された部分と隣接するように選択的に配置され、それにより使用者のために前記選択された部分及び前記センサ装置支持体の前記基準位置との間に位置する前記アイテムの全体未満の選択セグメントを視覚的に規定するためのセンサ装置支持体と、
前記基準位置から前記アイテムの前記選択部分への前記センサ装置支持体の相対変位に応じた信号を発生する変位検出装置と、
前記選択部分へ到達する前記移動中に前記センサ装置が通過する前記アイテムの連続部分の断面輪郭に応じた信号を発生する前記センサ装置と、
前記変位検出装置及び前記センサ装置によって発生された前記信号を受け取り、前記アイテムの全体未満の前記選択セグメントの体積をそれらの信号から計算する信号処理装置と、
前記センサ装置支持体が前記選択部分へと移動する時に、前記信号処理装置が計算した通りに前記アイテムの全体未満の前記選択セグメントの前記価格に応じた数値を実質的にかつ同時に表示する表示器を具備する装置。
【請求項１１７】
請求項１１６に記載の装置において、その前記移動の動力を供給するセンサ装置支持体駆動装置を更に含む装置。
【請求項１１８】
請求項１に記載の装置において、前記センサ・バーを前記支持面に沿って駆動するモータを更に含む装置。
【請求項１１９】
請求項１に記載の装置において、前記センサ・バー上に設置され、前記センサ・バーに沿ってその下方に延出する切断刃を有するナイフ刃を更に含む装置。
【請求項１２０】
請求項３３に記載の装置において、前記信号処理装置が、前記発信器・受信器信号から前記プランジャのそれぞれが前記アイテムの上面で静止する時をも判定することを特徴とする装置。
【請求項１２１】
請求項３３に記載の装置において、前記信号処理装置が、前記発信器・受信器信号から前記プランジャのそれぞれが完全に後退する時をも判定することを特徴とする装置。
【請求項１２２】
請求項４７に記載の装置において、前記レーザマーカーをデブリから遮蔽するように動作する前記レーザースコアリングマーカー装置上にあるつばを更に含む装置。
【請求項１２３】
請求項７０に記載の装置において、各前記センサは信号を同時に発生することを特徴とする装置。
【請求項１２４】
請求項７０に記載の装置において、前記センサ発信器の動作は多重で行われることを特徴とする装置。
【請求項１２５】
請求項７１に記載の装置において、前記センサ発信器の少なくともいくつかが異なる時点で動作され、他の発信器からの反射ビームの入射に対する各受信器の応答を最小にすることを特徴とする装置。
【請求項１２６】
請求項７０に記載の装置において、前記一連のセンサ中の連続する発信器の動作間に２つ以上の発信器の同時の動作の結果発生する反射ビームの入射に対する応答を防止するのに十分な時間間隔が設けられていることを特徴とする装置。
【請求項１２７】
アイテムのある選択セグメントの体積に応じた数値を表示する方法であって、
支持面上に前記アイテムを置く工程と、
センサ装置を前記支持面上方に支持し前記アイテムをクリアさせる工程と、
前記センサ装置を前記アイテムに沿ったいずれかの方向へ前記支持面に相対的に手動で移動させて、前記センサ装置を前記アイテムに対する基準位置からの変位によって、前記アイテムのいずれかの選択された部分上方に位置させ、それにより前記アイテムの連続部分上方の前記センサ装置の移動によって前記アイテムの全体未満の連続部分を視覚的に規定する工程と
前記センサ装置が前記アイテムに沿って移動する際に、前記センサ装置の下を通過する前記アイテムの連続部分の断面輪郭に応じた信号を発生する工程と、
前記センサ装置が前記アイテムに沿って前記アイテムの連続部分へ移動する際に、そのセンサ装置の前記アイテムの前記基準位置からの変位を検出し、対応する検出器信号を発生する工程と、
前記発生されたセンサ装置信号と検出器信号を処理し、前記基準位置と前記センサ装置が通過する前記アイテムの連続部分間に規定される前記アイテムの各セグメントの体積をこれらの信号から計算する工程と、
各連続セグメントの計算された体積に応じた数値を得る工程と、
前記センサ装置が各連続部分に到達した際に、このようにして得られた前記数値を表示し、使用者が前記アイテムのいずれかの選択セグメント及びそれに対応し表示された前記数値の両方を容易に観察する工程とを含む方法。
【請求項１２８】
請求項６６に記載の装置において、前記コントローラ信号処理装置ケースが本装置に着脱可能に設置されることを特徴とする装置。
【請求項１２９】
請求項４４に記載の装置において、異なる種類のアイテムの色データと前記プリンター装置で利用可能な異なる色の複数のインクの色データを有するルックアップテーブルが含まれ、前記インクジェットプリンター装置は前記信号処理装置により稼働され、前記アイテム色と対照をなす色で前記アイテムをマーキングすることを特徴とする装置。
【請求項１３０】
請求項２４に記載の装置において、前記アイテムを幅方向に切断するように配置された切断装置を更に含み、前記切断装置による前記アイテムの切断をガイドする前記マーキング装置のマーキングを検出するマーキングセンサを更に含む装置。
【請求項１３１】
請求項６２に記載の装置において、前記信号処理装置に対しておよび前記信号処理装置からデータを送受するための入力／出力ポートを更に含む装置。
【請求項１３２】
請求項１１２に記載の方法において、数値を表示することが前記計算された前記アイテムの前記選択セグメントの体積から得たこの選択セグメントの重量を表示することを含むことを特徴とする方法。
【請求項１３３】
請求項３４に記載の装置において、前記センサのそれぞれが同時にセンサ信号を発生することを特徴とする装置。
【請求項１３４】
請求項１０７に記載の装置において、前記センサ信号と検出器信号を処理して前記選択セグメントの体積を計算する際に、前記センサ・バーの後方移動が考慮されることを特徴とする装置。
【請求項１３５】
請求項１０７に記載の装置において、前記センサ信号と検出器信号を処理して前記選択セグメントの体積を計算する際に、前記センサ・バーの動作方向に対する前記支持体面の平面における傾斜が考慮されることを特徴とする装置。
【請求項１３６】
請求項１０７に記載の装置において、前記センサ・バーの前記アイテムを横断する移動が考慮されることを特徴とする装置。
【請求項１３７】
請求項２３に記載の装置において、各前記マーキングプランジャが、各前記プランジャの一方側に隣接する光学発信器・受信器アレイであって、各発信器は対応するプランジャの前記一方側に向かってビームを発射し、各受信器は対応するマーキングプランジャの前記一方側からの反射ビームを受光するように配置された光学発信器・受信器アレイと、前記対応するマーキングプランジャが延出する距離をこの発信器・受信器から受光した信号から決定し、それにより前記対応するマーキングプランジャが接触した前記アイテムの前記上面上の点の高さを決定できる信号処理装置とを有することを特徴とする装置。
【請求項１３８】
請求項１３７に記載の装置において、前記信号処理装置が、前記発信器・受信器信号から前記マーキングプランジャのそれぞれが前記アイテムの上面で静止する時をも判定することを特徴とする装置。
【請求項１３９】
請求項１３７に記載の装置において、前記信号処理装置が、前記発信器・受信器信号から前記マーキングプランジャのそれぞれが完全に後退する時をも判定することを特徴とする装置。
【請求項１４０】
アイテムの全体未満のある選択セグメントの体積に応じた数値を表示する方法であって、
前記アイテムの幅方向に指示器を延出させることと、
前記アイテムに対し選択された基準位置から前記アイテムに沿って前記指示器を移動させ、同時に、前記アイテムに近接して位置する前記指示器が前記アイテムの選択された部分上方を前記アイテムに沿って他の位置に到達する際に、前記指示器が横切る前記アイテムの全体未満の選択セグメントの体積を決定し、それにより前記選択セグメントの一側を含む前記アイテムの前記選択セグメント上方の前記指示器の位置決めにおいて前記アイテムの前記選択セグメントを視覚的に規定することと、
前記アイテムの前記選択部分上方の前記他の位置にある前記指示器により前記アイテムの前記選択セグメントの前記体積に応じた数値を表示することとを含む方法。
【請求項１４１】
請求項１４０に記載の方法において、前記数値が前記選択セグメントの重量を含むことを特徴とする方法。
【請求項１４２】
請求項１４０に記載の方法において、前記数値が前記選択セグメントの価格を含むことを特徴とする方法。
【請求項１４３】
請求項１４０に記載の方法において、前記数値が、前記指示器が前記他の位置に到達する際に実質的に同時に表示されることを特徴とする方法。
【請求項１４４】
請求項１４０に記載の方法において、前記数値が、前記指示器に隣接して表示され、前記アイテムに沿った前記指示器の位置と前記数値の前記表示を共に見せることを特徴とする方法。
【請求項１４５】
請求項１４０に記載の方法において、前記アイテムの幅方向に延出する可動な伸長バーが前記指示器として使用されることを特徴とする方法。
【請求項１４６】
請求項１４０に記載の方法において、前記アイテムから前記選択セグメントを切断することを更に含む方法。
【請求項１４７】
請求項１５に記載の装置において、各変位検出装置が前記支持面上の各支柱の変位に応じた信号を発生することを特徴とする装置。